【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
類似したネットワーク構成を有するネットワークにおけるデバイス間の過去の対話に基づいて、デバイス対話推奨を提供する方法であって、
第1のデバイスネットワークに関連する第1のネットワーク構成情報およびデバイス対話履歴情報を受信するステップであって、前記第1のデバイスネットワークは、第1の複数のデバイスを備え、前記第1のネットワーク構成情報は、前記第1の複数のデバイスの各々の能力情報を備え、さらに前記デバイス対話履歴情報は、前記第1の複数のデバイスの間の対話の履歴を備えるステップと、
複数のデバイスネットワークのデバイス対話履歴情報を集約するステップであって、前記複数のデバイスネットワークは、前記第1のデバイスネットワークを含む、ステップと、
前記第1のネットワーク構成情報、前記デバイス対話履歴情報、および前記集約されたデバイス対話履歴情報に基づいて1組の対話推奨を生成するステップと、
第2の複数のデバイスを備え、さらに前記第1のネットワーク構成情報と同一である、または類似する、前記第2の複数のデバイスの各々の能力情報を備える第2のネットワーク構成情報を有する第2のデバイスネットワークを識別するステップと、
前記1組の対話推奨を前記第2のデバイスネットワークに送信するステップとを備える方法。
【請求項２】
前記第1の複数のデバイスは、通信ネットワークを介して互いに通信する請求項1に記載の方法。
【請求項３】
前記通信ネットワークは、ワイヤレスローカルエリアネットワーク(WLAN)またはワイヤレスパーソナルエリアネットワーク(WPAN)である請求項2に記載の方法。
【請求項４】
前記第2の複数のデバイスは、異なる通信ネットワークを介して互いに通信する請求項2に記載の方法。
【請求項５】
対話の前記履歴は、前記第1の複数のデバイスのうちの少なくとも1つのデバイスが実行した1つまたは複数のアクションと、前記1つまたは複数のアクションの1つまたは複数の結果とを備える請求項1に記載の方法。
【請求項６】
前記1つまたは複数の結果のうちの1つの結果は、前記1つまたは複数のアクションに対するユーザ応答である請求項5に記載の方法。
【請求項７】
前記1つまたは複数の結果のうちの1つの結果は、前記1つまたは複数のアクションが完了されたか否かの指示である請求項5に記載の方法。
【請求項８】
前記1つまたは複数のアクションは、前記1つまたは複数のアクションを実行するようユーザが前記少なくとも1つのデバイスに命令することなしに、前記少なくとも1つのデバイスによって開始される請求項5に記載の方法。
【請求項９】
前記第1のネットワーク構成情報はさらに、前記第1の複数のデバイスの各々のタイプ、前記第1の複数のデバイス間の接続タイプ、前記第1の複数のデバイスの数、またはそれらの任意の組合せを備える請求項1に記載の方法。
【請求項１０】
前記能力情報は、それぞれのデバイスの1組の規格、および/または前記それぞれのデバイスが実行するように構成された1組の動作のうちの1つまたは複数を備える請求項1に記載の方法。
【請求項１１】
前記複数のデバイスネットワークは、マッチするネットワーク構成情報を有する請求項1に記載の方法。
【請求項１２】
前記識別するステップは、
前記第2のデバイスネットワークから前記1組の対話推奨を求める要求を受信するステップを備える請求項1に記載の方法。
【請求項１３】
前記識別するステップは、
前記第2のネットワーク構成情報および第2のデバイス対話履歴情報が、前記第2のデバイスネットワークから以前に受信されていると判定するステップを備える請求項1に記載の方法。
【請求項１４】
前記識別するステップは、
前記第2のネットワーク構成情報が、前記第1のネットワーク構成情報とマッチすることを判定するステップを備える請求項1に記載の方法。
【請求項１５】
前記第2のネットワーク構成情報は、前記第1の複数のデバイスの各々が、前記第2の複数のデバイスの各々と同一のタイプのデバイスであることに基づいて、前記第1のネットワーク構成情報とマッチする請求項14に記載の方法。
【請求項１６】
前記第2のネットワーク構成情報は、前記第2の複数のデバイスが、前記第1の複数のデバイスと同一のアクションを実行することができることに基づいて、前記第1のネットワーク構成情報とマッチする請求項14に記載の方法。
【請求項１７】
前記第2のネットワーク構成情報は、同一の数の第2の複数のデバイスと第1の複数のデバイスが存在することに基づいて、前記第1のネットワーク構成情報とマッチする請求項14に記載の方法。
【請求項１８】
前記第2のデバイスネットワークは、前記1組の対話推奨を受信し、さらに該1組の対話推奨を使用して、前記第2の複数のデバイスの間の対話に関する意思決定を行う請求項1に記載の方法。
【請求項１９】
前記第2の複数のデバイスの少なくとも1つの前記能力情報は、サードバーティソースから受信される請求項1に記載の方法。
【請求項２０】
類似したネットワーク構成を有するネットワークにおけるデバイス間の過去の対話に基づいて、デバイス対話推奨を提供するための装置であって、
第1のデバイスネットワークに関連する第1のネットワーク構成情報およびデバイス対話履歴情報を受信するように構成された論理手段であって、前記第1のデバイスネットワークは、第1の複数のデバイスを備え、前記第1のネットワーク構成情報は、前記第1の複数のデバイスの各々の能力情報を備え、さらに前記デバイス対話履歴情報は、前記第1の複数のデバイスの間の対話の履歴を備える論理手段と、
複数のデバイスネットワークのデバイス対話履歴情報を集約するように構成され、前記複数のデバイスネットワークは、前記第1のデバイスネットワークを含む論理手段と、
前記第1のネットワーク構成情報、前記デバイス対話履歴情報、および前記集約されたデバイス対話履歴情報に基づいて1組の対話推奨を生成するように構成された論理手段と、
第2の複数のデバイスを備え、さらに前記第1のネットワーク構成情報と同一である、または類似する、前記第2の複数のデバイスの各々の能力情報を備える第2のネットワーク構成情報を有する第2のデバイスネットワークを識別するように構成された論理手段と、
前記1組の対話推奨を前記第2のデバイスネットワークに送信するように構成された論理手段とを備える装置。
【請求項２１】
前記第1の複数のデバイスは、通信ネットワークを介して互いに通信する請求項20に記載の装置。
【請求項２２】
前記通信ネットワークは、ワイヤレスローカルエリアネットワーク(WLAN)またはワイヤレスパーソナルエリアネットワーク(WPAN)である請求項21に記載の装置。
【請求項２３】
前記第2の複数のデバイスは、異なる通信ネットワークを介して互いに通信する請求項21に記載の装置。
【請求項２４】
対話の前記履歴は、前記第1の複数のデバイスのうちの少なくとも1つのデバイスが実行した1つまたは複数のアクションと、前記1つまたは複数のアクションの1つまたは複数の結果とを備える請求項20に記載の装置。
【請求項２５】
前記1つまたは複数の結果のうちの1つの結果は、前記1つまたは複数のアクションに対するユーザ応答である請求項24に記載の装置。
【請求項２６】
前記1つまたは複数の結果のうちの1つの結果は、前記1つまたは複数のアクションが完了されたか否かの指示である請求項24に記載の装置。
【請求項２７】
前記1つまたは複数のアクションは、前記1つまたは複数のアクションを実行するようユーザが前記少なくとも1つのデバイスに命令することなしに、前記少なくとも1つのデバイスによって開始される請求項24に記載の装置。
【請求項２８】
前記第1のネットワーク構成情報は、前記第1の複数のデバイスの各々のタイプ、前記第1の複数のデバイス間の接続タイプ、前記第1の複数のデバイスの数、またはそれらの任意の組合せを備える請求項20に記載の装置。
【請求項２９】
前記能力情報は、それぞれのデバイスの1組の規格、および/または前記それぞれのデバイスが実行するように構成された1組の動作のうちの1つまたは複数を備える請求項20に記載の装置。
【請求項３０】
前記複数のデバイスネットワークは、マッチするネットワーク構成情報を有する請求項20に記載の装置。
【請求項３１】
識別するように構成された前記論理手段は、
前記第2のデバイスネットワークから前記1組の対話推奨を求める要求を受信するように構成された論理手段を備える請求項20に記載の装置。
【請求項３２】
識別するように構成された前記論理手段は、
前記第2のネットワーク構成情報および第2のデバイス対話履歴情報が、前記第2のデバイスネットワークから以前に受信されていると判定するように構成された論理手段を備える請求項20に記載の装置。
【請求項３３】
識別するように構成された前記論理手段は、
前記第2のネットワーク構成情報が、前記第1のネットワーク構成情報とマッチすることを判定するように構成された論理手段を備える請求項20に記載の装置。
【請求項３４】
前記第2のネットワーク構成情報は、前記第1の複数のデバイスの各々が、前記第2の複数のデバイスの各々と同一のタイプのデバイスであることに基づいて、前記第1のネットワーク構成情報とマッチする請求項33に記載の装置。
【請求項３５】
前記第2のネットワーク構成情報は、前記第2の複数のデバイスが、前記第1の複数のデバイスと同一のアクションを実行することができることに基づいて、前記第1のネットワーク構成情報とマッチする請求項33に記載の装置。
【請求項３６】
前記第2のネットワーク構成情報は、同一の数の第2の複数のデバイスと第1の複数のデバイスが存在することに基づいて、前記第1のネットワーク構成情報とマッチする請求項33に記載の装置。
【請求項３７】
前記第2のデバイスネットワークは、前記1組の対話推奨を受信し、さらにその1組の対話推奨を使用して、前記第2の複数のデバイスの間の対話に関する意思決定を行う請求項20に記載の装置。
【請求項３８】
類似したネットワーク構成を有するネットワークにおけるデバイス間の過去の対話に基づいて、デバイス対話推奨を提供するための装置であって、
第1のデバイスネットワークに関連する第1のネットワーク構成情報およびデバイス対話履歴情報を受信するための手段であって、前記第1のデバイスネットワークは、第1の複数のデバイスを備え、前記第1のネットワーク構成情報は、前記第1の複数のデバイスの各々の能力情報を備え、さらに前記デバイス対話履歴情報は、前記第1の複数のデバイスの間の対話の履歴を備える手段と、
複数のデバイスネットワークのデバイス対話履歴情報を集約するように構成され、前記複数のデバイスネットワークは、前記第1のデバイスネットワークを含む手段と、
前記第1のネットワーク構成情報、前記デバイス対話履歴情報、および前記集約されたデバイス対話履歴情報に基づいて1組の対話推奨を生成するための手段と、
第2の複数のデバイスを備え、さらに前記第1のネットワーク構成情報と同一である、または類似する、前記第2の複数のデバイスの各々の能力情報を備える第2のネットワーク構成情報を有する第2のデバイスネットワークを識別するための手段と、
前記1組の対話推奨を前記第2のデバイスネットワークに送信するための手段とを備える装置。
【請求項３９】
類似したネットワーク構成を有するネットワークにおけるデバイス間の過去の対話に基づいて、デバイス対話推奨を提供するための一時的でないコンピュータ可読記録媒体であって、
第1のデバイスネットワークに関連する第1のネットワーク構成情報およびデバイス対話履歴情報を受信する命令であって、前記第1のデバイスネットワークは、第1の複数のデバイスを備え、前記第1のネットワーク構成情報は、前記第1の複数のデバイスの各々の能力情報を備え、さらに前記デバイス対話履歴情報は、前記第1の複数のデバイスの間の対話の履歴を備える少なくとも1つの命令と、
複数のデバイスネットワークのデバイス対話履歴情報を集約する命令であって、前記複数のデバイスネットワークは、前記第1のデバイスネットワークを含む、少なくとも1つの命令と、
前記第1のネットワーク構成情報、前記デバイス対話履歴情報、および前記集約されたデバイス対話履歴情報に基づいて1組の対話推奨を生成する少なくとも1つの命令と、
第2の複数のデバイスを備え、さらに前記第1のネットワーク構成情報と同一である、または類似する、前記第2の複数のデバイスの各々の能力情報を備える第2のネットワーク構成情報を有する第2のデバイスネットワークを識別する少なくとも1つの命令と、
前記1組の対話推奨を前記第2のデバイスネットワークに送信する少なくとも1つの命令とを備える一時的でないコンピュータ可読記録媒体。